【事件の表示】
　特許第３３００６７９号「表示装置におけるバックライト構造」の請求項１ないし６に係る特許に対する特許異議の申立てについて、次のとおり決定する。
【結　論】
　訂正を認める。
　特許第３３００６７９号の請求項１、２に係る特許を維持する。
【理　由】
１．手続の経緯
　本件特許第３３００６７９号の発明は、平成１１年１月２６日に特許出願され、平成１４年４月１９日にその特許の設定登録がなされたものであり、その後、比気　美保子より特許異議の申立てがなされ、取消しの理由が通知され、その指定期間内である平成１５年６月２６日に訂正請求がなされたものである。　
　
２．訂正の適否についての判断
（１）［訂正の内容］
　別紙「訂正の内容」参照。
　
（２）［訂正の適否］ 
　本件訂正事項ａは、請求項１ないし４の削除である。したがって、この訂正は、特許請求の範囲の減縮を目的とするものである。
　本件訂正事項ｂは、請求項４の削除に伴い、この請求項４に従属していた請求項５を独立形式に改め、新たな請求項１とするものである。したがって、この訂正は、明りようでない記載の釈明を目的とするものである。
　本件訂正事項ｃは、請求項４および請求項５に従属する請求項６の従属形式を、請求項４の削除に伴い請求項５（新たな請求項１）のみに従属させ、新たな請求項２としたものである。したがって、この訂正は、明りようでない記載の釈明を目的とするものである。
　本件訂正事項ｄは、本件訂正事項ａからｃの特許請求の範囲の訂正に伴って、特許請求の範囲と発明の詳細な説明との整合をとる訂正であり、明りようでない記載の釈明を目的とするものである。
　また、本件訂正事項ａからｄまでの訂正は、願書に添付した明細書又は図面に記載した事項の範囲内の訂正であり、実質上特許請求の範囲を拡張し又は変更するものでもない。
　以上のとおりであるから、上記訂正は、特許法第１２０条の４第２項ただし書及び同条第３項において準用する特許法１２６条第２項から第４項までの規定に適合するので、当該訂正を認める。
　
３．特許異議の申立てについて
（１）［本件発明］
　本件請求項１、２に係る発明（以下、「本件発明１、２」という。）は、訂正明細書の特許請求の範囲の請求項１、２に記載された事項により特定される次のとおりのものである。
　「【請求項１】　導光体の端面からランプの光を入射させ、導光体内部を導光させて表示部を照射する表示装置におけるバックライト構造において、前記導光体における前記ランプの光を入射する面を除く厚み方向である側面の一部に設けられた凹部と、導光体支持用の筐体に設けられて前記凹部と嵌合する凸部とを備え、前記凹部の内周における前記ランプの光を入射する面と同一方向面である入光側の形状を、該凹部の底面に対して略円弧形状にて連続するように形成したことを特徴とする表示装置におけるバックライト構造。
　【請求項２】　前記導光体を略矩形状とし、導光体における前記ランプの光を入射する面を除く厚み方向である側面のうち、少なくとも１面に凹部を設けたことを特徴とする請求項１記載の表示装置におけるバックライト構造。」
　
（２）［引用刊行物記載の発明］
　当審が通知した取消しの理由に引用された刊行物
　刊行物１：特開平８−７６１１６号公報（甲第１号証）
　刊行物２：特開平９−２４３８２８号公報（甲第２号証）
　刊行物３：特開平９−１４７６１８号公報（甲第３号証）
　刊行物４：特開平９−１５２５７７号公報（甲第４号証）
　刊行物１には、
　「【従来の技術】近時、ラップトップ型、又はノ−トブック型のワ−ドプロセッサ−やコンピュ−タ等の表示装置として、薄型でしかも見易いバックライト機構を有する液晶表示装置が用いられている。このようなバックライトには、図１に示すように透光性の導光板の一端部に、蛍光管のような線状光源を併設する１灯型エッジライト方式、図３に示すように透光性の導光板の対向する二端部に線状光源を併設する２灯型エッジライト方式がよく用いられる。このエッジライト方式の場合、図２又は図４に示すように、導光板の一方の面に光を拡散させる機能を有する光拡散エレメントを形成し（例えば、この導光板材料よりも屈折率が大きい光拡散物質を部分的に被覆する、導光板表面を粗面化する、導光板に穴を開けるなど）、前記導光板の出光面に光拡散板を配し、前記導光板の出光面の反対側の面を反射板で覆うように配置されたものが多い。」（段落【０００２】）、
　「導光板内に入射した光は導光板内部面で反射を繰り返し所定の方向に進行するが、前記したような導光板に突出部が形成されているとその部分に光が進入し、結果として突出部に近接する発光部分近傍の輝度が小さくなり、他の部分を含めた導光板発光部分の輝度が不均一となるばかりでなく、更に発光効率の低下を招くという問題があった。」（段落【０００６】）、
　「導光板の側面から突出した突出部においては、導光板内を進行する光がその形状に由来して複雑となり、その端部面では必要以上に発光することがある。」（段落【００１６】の後半部）
が記載されている。
　刊行物２には、
　「【０００２】
【従来の技術】従来、例えば液晶表示装置においては、サイドライト型面光源装置により液晶パネルを照明し、これにより全体形状を薄型化するようになされている。
【０００３】すなわちサイドライト型面光源装置は、冷陰極管等の棒状光源でなる一次光源を板状部材（すなわち導光板でなる）の側方に配置し、この一次光源より出射される照明光を導光板の端面より導光板に入射する。さらにサイドライト型面光源装置は、この照明光を屈曲して、導光板の平面より液晶パネルに向けて出射するように形成され、これにより全体形状を薄型化できるようになされている。」（段落【０００２】、【０００３】）、
　「【０００７】光散乱導光体２は、楔形断面形状の導光板で、例えばポリメチルメタクリレート（ＰＭＭＡ）からなるマトリックス中に、これと屈折率の異なる透光性の微粒子が一様に混入分散されて形成される。これによりＡ−Ａ断面により断面を取って図５に示すように、この光散乱導光体２は、一次光源３側端面でなる入射面Ｔより照明光Ｌを入射し、透光性の微粒子により照明光Ｌを散乱させながら、また反射シート４に乱反射部材を適用した場合は、この反射シート４により一部乱反射させながら、反射シート４側平面（以下斜面と呼ぶ）とプリズムシート５側平面（以下出射面と呼ぶ）との間を繰り返し反射して照明光Ｌを伝播する。
【０００８】この伝播の際に、照明光Ｌは、斜面で反射する毎に出射面に対する入射角が徐々に低下し、出射面に対して臨界角以下の成分が出射面より出射される。この出射面より出射される照明光Ｌ１は、照明光Ｌが光散乱導光体２の内部において透光性の微粒子により散乱され、また反射シート４により乱反射して伝播すること等により、散乱光により出射される。しかしながらこの照明光Ｌ１は、出射面に対して伝播方向に傾いて形成された斜面を反射して伝播することにより、矢印Ｂにより拡大して示すように、主たる出射方向が楔形状の先端方向に傾いて形成される。すなわち導光板からの出射光Ｌ１が指向性を有するようになり、これによりサイドライト型面光源装置１は、指向出射性を有するようになる。」（段落【０００７】、【０００８】）、
　「【００１１】
【発明が解決しようとする課題】ところでこの種のサイドライト型面光源装置においては、・・・。これによりサイドライト型面光源装置においては、フレーム等の保持部材に対して導光板でなる光散乱導光体２を簡易かつ確実に位置決め保持できるようにする必要がある。特に、サイドライト型面光源装置においては、衝撃等により光散乱導光体２が蛍光ランプ６に衝突すると、蛍光ランプ６を破損する恐れがあり、蛍光ランプ６側へは移動しないように光散乱導光体２を確実に位置決め保持する必要がある。
【００１２】この場合、例えば図６に示すように、光散乱導光体２の側面に凸部９を一体に形成し、この凸部９により位置決め保持する方法が考えられる。ところがこの種のサイドライト型面光源装置においては、光源からの照明光を光散乱導光体２の内部で伝搬して出射面より射出することにより、このように凸部９を一体に形成すると、この凸部９の影響により輝度ムラが発生する問題があった。」（段落【００１１】、【００１２】）、
　「【００３２】さらに光散乱導光体１２は、入射面側、両側面に凸部１８及び１９が形成されこの凸部１８及び１９によりフレーム１１に位置決め保持される。これにより光散乱導光体１２は、衝撃等による変位を防止して、蛍光ランプ６の損傷を防止できるようになされている。」（段落【００３２】）、
　「【００３７】さらに凸部１８は、入射面１５と逆側の面Ｍ２が、入射面１５と平行な面により形成され、光散乱導光体１２の斜面より延長する延長線により入射面側の面Ｍ１と接続され、また光散乱導光体１２の側面と根元部分で曲面により接続されるようになされている。
【００３８】・・・光散乱導光体１２の側面との間については、ほぼ垂直に接続した場合、照明光分布の急激な変化により輝度ムラが発生する。これによりこの実施の形態では光散乱導光体１２の側面との間を曲面により接続して、照明光分布の急激な変化を低減し、輝度ムラを低減するようになされている。」（段落【００３７】、【００３８】）
が記載されている。
　刊行物３には、
　「【発明の属する技術分野】本発明は、ＡＶ装置および広告表示装置などの表示に用いられる照明装置に関するものであり、特に、液晶表示装置の光源として用いられる照明装置に関するものである。」（段落【０００１】）
が記載されている。
　刊行物４には、
　「【発明の属する技術分野】本発明は、液晶表示装置に係わり、特に、液晶表示装置の光源として使用されるバックライトに適用して有効な技術に関するものである。」（段落【０００１】）、
　「図１０に示すように、モールド７０５に突起７１０を設け、また、導光板７１３に切り込み７１１を設けることにより、冷陰極蛍光灯７０８と導光板７１３との間隔を一定にするとともに、図１０に示す矢印方向に衝撃（図１０に示すＦ）が加わった時に、導光板７１３が冷陰極蛍光灯７０８側に移動しないようにしている。」（段落【００１２】）
が記載されている。
　
（３）［対比・判断］
［本件発明１について］
　本件発明１と刊行物１記載の発明とを対比すると、刊行物１記載の発明は、本件発明１が具備する「導光体におけるランプの光を入射する面を除く厚み方向である側面の一部に設けられた凹部を備え、前記凹部の内周における前記ランプの光を入射する面と同一方向面である入光側の形状を、該凹部の底面に対して略円弧形状にて連続するように形成した」という構成を具備していない。
　これに対して、異議申立人は、異議申立書において「甲第３号証の図８には・・・導光板３２の凹部の内周が略円弧形状に形成された構成が記載されている。」と主張しているが、そのような構成が記載されているとは認められない。
　そして、本件発明１の前記構成は、前記刊行物２〜４に記載も示唆もなされていない。
　しかも本件発明１は、前記構成を有することで、明細書記載の顕著な効果を奏するものと認められる。
　してみると、本件発明１は、刊行物１〜４に記載された発明に基づき当業者が容易に発明することができたものとは認められない。
　したがって、本件発明１の特許は、特許法第２９条第２項の規定に違反してなされたものではない。
　
［本件発明２について］
　本件発明２は、本件発明１の構成要件を全て含み、さらに他の構成要件を付加したものに相当するから、本件発明１について説示したのと同様の理由により、本件発明２は、刊行物１〜４に記載された発明に基づき、当業者が容易に発明することができたものとは認められない。
　したがって、本件発明２の特許は、特許法第２９条第２項の規定に違反してなされたものではない。
　
［特許法第２９条第１項第３号違反について］
　訂正前の請求項１ないし３に対して、当審において特許法第２９条第１項第３号違反について取消理由通知がなされたが、上記２（２）において検討したとおり、適法に訂正されたから、この取消理由は解消した。
　
（４）［結び］
　したがって、特許異議申立ての理由および証拠によっては、本件発明についての特許を取り消すことはできない。
　また、他に本件発明についての特許を取り消すべき理由を発見しない。
　よって、結論のとおり決定する。
【異議決定日】
平成１６年３月４日（２００４．３．４）
【訂正の要旨】
審決（決定）の【理由】欄参照。
（５４）【発明の名称】
表示装置におけるバックライト構造
（５７）【特許請求の範囲】
　【請求項
１
導光体の端面からランプの光を入射させ、導光体内部を導光させて表示部を照射する表示装置におけるバックライト構造において、前記導光体における前記ランプの光を入射する面を除く厚み方向である側面の一部に設けられた凹部と、導光体支持用の筐体に設けられて前記凹部と嵌合する凸部とを備え、
、該凹部の底面に対して
て連続するように形成したことを特徴とする
　【請求項
２
１記載
【発明の詳細な説明】
　【０００１】
　【発明の属する技術分野】
　本発明は、液晶表示装置などの表示部を照射するためのバックライトの構造に関するものである。
　【０００２】
　【従来の技術】
　バックライトを使用した表示装置は、装置の薄型，軽量化を目的として各種の表示装置に使用されており、例えば液晶表示パネルの分野においても使用されている。
　【０００３】
　液晶を応用した表示装置は、低電力，軽量，省スペースなど、従来のディスプレィにない特徴を有し、周辺技術の進歩により商品力が高まり、さまざまな製品に使用されている。マトリクス表示を行う液晶表示装置は、構造としてアクティブ・マトリクスと単純マトリクスとに分類されるが、中でも、画素ごとにスイッチング素子として薄膜トランジスタを用いたアクティブ・マトリクス方式の液晶表示装置においては、クロストークのない鮮明な画像表示が得られることから、ノートブックタイプのパソコンのディスプレイ、あるいはＥＷＳ用ディスプレイなどに使用され、急速に市場を拡大している。この液晶表示装置においては、低消費電力あるいはコンパクト性の要求により、主にエッジライト方式のバックライトが用いられている。
　【０００４】
　図５は従来のエッジライト方式のバックライト部分の構造を示す側面縦断面図、図６はエッジライト方式のバックライト部分の構造を示す正面横断面図である。この方式のバックライトは光の物質差による臨界角現象を利用したものであり、アクリル樹脂などからなる透明部材からなる導光体１の端面からランプ２の光を入射して導光体内部を導光させ、導光体１の裏面に配置された反射パターン３と反射板４とによって均一に光を導光体１表面から効率よく照射し、表示パネル５の光源として利用するものである。
　【０００５】
　また、昨今の小型化要求の中から、表示パネル５における表示部面積以外の外周部分が小さくなっている。その際、導光体１は表示サイズよりも大きくなければ表示部全面を照らす光源として機能しないため、導光体１は外形ぎりぎりまでの設計となり、導光板１を支えるための部材が表示部近傍まで接近してきている現状である。
　【０００６】
　従来のバックライトの導光体１の支持構造は、図６に示すように、導光体１の厚み方向側面より凸部８を突設し、その凸部８を、外枠６内に設けられてランプ２などを保持するための筐体７外周に形成された凹部９に嵌合するものであり、この構造によって導光体１を装置内において位置決めし、かつ外部からの応力などによって移動しないようにしている。
　【０００７】
　【発明が解決しようとする課題】
　ところで、ノートブックタイプのパソコンには、機能性を重視する点と省エネルギの観点からディスプレイとして液晶表示装置が使われ、またディスクトップタイプの表示部としても、低消費電力，省スペース化が図られ、発熱量も少ないディスプレイとして液晶表示装置が使われるようになっている。これらに用いられる液晶表示装置は、現在では画面対角寸法が３０ｃｍ（１２．１インチ）〜３５ｃｍ（１４インチ）にシフトしてきている。そのために液晶表示装置に用いるバックライトサイズも対角で３０ｃｍを超えてしまう。
　【０００８】
　このような大きさの中で導光体も大型化し、重量がかさむため確実な固定をおこなわないと落下衝撃などにより導光体が移動し、ランプと衝突してランプが割れるといった不具合が発生してしまう。それを解決するために図６に示すような導光体１の支持構造が採用されている。
　【０００９】
　しかし、この支持構造では図７に示すように、ランプ２から出射した光Ｌが、凸部８における導光体１の外周部に連続する辺の壁面１０部分では臨界角を超えた大きな角度で当たるため、この部分で光Ｌが抜けてしまい、その部位が暗くなったり、また抜けた光Ｌが反射して、照射ムラとして見える現象が起こってしまうという問題がある。
　【００１０】
　この問題は、従来のように周辺構造に寸法の余裕があれば、表示範囲より離れているために、問題にならなかったが、昨今の小型化により、導光体自体も表示範囲ぎりぎりのサイズとなっており、前記のような照射ムラが無視できなくなった。
　【００１１】
　本発明は、前記従来の課題を解決するためのものであり、表示装置の大画面化に反して装置外形の小型化が原因して生じる、導光体を支持する部位における照射ムラの発生を防ぐことができる表示装置のバックライト構造を提供することを目的とする。
　【００１
２
　【課題を解決するための手段】
　
前記目的を達成するため、
前記凹部の内周における前記ランプの光を入射する面と同一方向面である入光側の形状を、該凹部の底面に対して略円弧形状
　【００１
３
　前記構成によって、導光体に設けられ
た凹
　【００１
４
　【発明の実施の形態】
　以下、本発明の実施形態を図面に基づいて説明する。なお、図５ないし図７に基づいて説明した部材と同様な作用をなす部材には同一符号を付して詳しい説明は省略する。
　【００１
５
　図１は本発明の第１実施形態を説明するための液晶表示装置のエッジライト方式のバックライト構造を示す正面横断面図であり、第１実施形態におけるバックライト構造は、略矩形状の導光体１外周に複数（図では４箇所）の凸部８が設けられ、導光体１を支持する筐体７内周には各凸部８に嵌合する凹部９が設けられている。図１に示す状態において、導光体１は筐体７との嵌合により位置決めされるため、落下衝撃などが加わっても導光体１が所定の位置よりずれることがない。なお、凸部８および凹部９の設置個数，間隔は仕様によって適宜設定し、導光体１を支えることができれば本例に限定されるものではない。
　【００１
６
　さらに、凸部８における導光体１の外周面に連続して接する部分を略円弧形状１１としている。この略円弧形状１１は導光体１の外周面と連続して形成されているため、図２に示すように、ランプ２から出射された光Ｌが略円弧形状１１部分に当たった場合、導光体１の外周に近い部分で入射角０°に極めて近いため、光Ｌは外部に抜けることはないし、また凸部８の先端に向かっていってもなだらかに入射角が変化するだけである。これにより、凸部８における導光体１の外周面に接する点が分からない状態になり、よって、光の反射の変化が発生しない。
　【００１
７
　ここで、凸部８の幅は導光体１を支えるための幅があればよく、あまり大きくしすぎると、その部分の筐体７が切り欠かれるため、筐体７自体の剛性が落ち、強度の小さいバックライト構造になるおそれがある。
　【００１
８
　このように第１実施形態では、導光体１に支持用の凸部８を設け、さらに凸部８に対応する箇所の筐体７に凹部９を設けて、凸部８と凹部９とを嵌合させ導光体１を筐体７に固定させることによって、導光板１がずれてランプ２が割れたりすることを防止することができると共に、凸部８の存在によって生じていた従来のような配光（照射）ムラを発生させることのない構造となる。
　【００
１９
　なお、図１，図２において、複数の凸部８における右側のものには、ランプ２からの入光側と反入光側との両側を略円弧形状１１にしてあるが、左側のもののように反入光側のみを略円弧形状１１にしても、同様に前記配光ムラを防ぐことができる。
　【００２
０
　また、凸部８を導光体１に設ける際に、本例では導光体１の外周辺に接する略円弧としたが、図３に示すように、接線でなく接触角Ａが生じても同様な効果を得ることができる。さらに、略円弧としては真円でなく楕円などの曲線にしても問題はない。
　【００２
１
　図４は本発明の第２実施形態を説明するための液晶表示装置のエッジライト方式のバックライト構造を示す正面横断面図であり、第２実施形態におけるバックライト構造が第１実施形態のバックライト構造と異なる点は、略矩形状の導光体１の外周に複数（図では４箇所）の凹部１５を設け、導光体１を支持する筐体７内周に各凹部１５に嵌合する凸部１６を設けた構成にある。
　【００２
２
　さらに、凹部１５の内周１５ａにおける当該凹部１５の底面１５ｂに連続して接する部分を略円弧形状１１としている。この凹部１５における略円弧形状１１は凹部１５の底面１５ｂと連続して形成されているため、ランプ２から出射された光Ｌが略円弧形状１１部分に当たった場合、凹部１５の底面１５ｂに近い部分で入射角０°に極めて近いため、光Ｌは外部に抜けることはないし、また凹部１５の開口側に向かっていってもなだらかに入射角が変化するだけである。これにより、凹部１５の内周１５ａが底面１５ｂに接する点が分からない状態になり、よって、光の反射の変化が発生しない。
　【００２
３
　したがって、第２実施形態では、導光体１に支持用の凹部１５を設け、さらに凹部１５に対応する箇所の筐体７に凸部１６を設けて、凸部１６と凹部１５とを嵌合させ導光体１を筐体７に固定させることによって、導光板１がずれてランプ２が割れたりすることを防止することができると共に、凹部１５の存在によって生じていた従来のような配光（照射）ムラを発生させることのない構造となる。
　【００２
４
　なお、図４において、複数の凹部１５における右側のものには、ランプ２からの入光側と反入光側との両側を略円弧形状１１にしてあるが、左側のもののように入光側のみを略円弧形状１１にしても、同様に前記配光ムラを防ぐことができる。
　【００２
５
　また、凹部１５を導光体１に設ける際に、本例では凹部１５の内周を底面に接する略円弧としたが、円弧形状の形成としては、第１実施形態において説明したように、接線でなく接触角が生じても同様な効果を得ることができる。さらに、略円弧としては真円でなく楕円などの曲線にしても問題はない。
　【００２
６
　なお前記各実施形態では、導光体１における凸部８あるいは凹部１５の配置を、図に示すように、ランプ２の出射光方向と平行な導光体１における上下各側面に設けているが、導光体１を支持することができれば、各面すべてに設けなくても１面であっても構成によっては同様な効果が得られる。
　【００２
７
　【発明の効果】
　以上のように、本発明のバックライト構造によれば、表示装置の導光体に凸部あるいは凹部を設け、その凸部あるいは凹部の導光体の外周面に連続する部分を略円弧形状にしたことによって、凸部や凹部によって生じる配光ムラをなくした表示装置を実現することができる。
　【００２
８
　また前記凸部あるいは凹部を、支持用筐体の対応する部分に設けられた凹凸形状部と嵌合させることによって、導光体が衝撃などによって移動することを防止することができる。
【図面の簡単な説明】
　【図１】
　本発明の第１実施形態を説明するための液晶表示装置のバックライト構造を示す正面横断面図
　【図２】
　本発明の第１実施形態の導光体の凸部における光の進行状態の説明図
　【図３】
　本発明の第１実施形態の導光体の凸部における円弧形状の他の例を示す図
　【図４】
　本発明の第２実施形態を説明するための液晶表示装置のバックライト構造を示す正面横断面図
　【図５】
　従来のエッジライト方式のバックライト部分の構造を示す側面縦断面図
　【図６】
　従来のエッジライト方式のバックライト部分の構造を示す正面横断面図
　【図７】
　図５，図６に示すバックライトの導光体の凸部における光の進行状態の説明図
　【符号の説明】
　１　導光体
　２　ランプ
　３　導光体に設けられた反射パターン
　４　導光体に設けられた反射板
　５　表示パネル
　６　外枠
　７　筐体
　８　導光体の凸部
　９　筐体の凹部
　１１　凸部の略円弧形状
　１５　導光体の凹部
　１６　筐体の凸部